(57)【要約】【課題】スモッキング刺繍などの比較的に複雑な手順の手縫い作業を適切に案内することを可能とし、当該手縫い作業を効率よく行うことができる手芸作業ガイド用具を提供する。【解決手段】所定の標記Ｒを有する付着体２を布地の帯状領域に付着させて針を通す位置を案内するための手芸作業ガイド用具Ａ１であって、標記Ｒは、布地に対して針を通す位置および当該針を通す方向を示すための標識２１Ａと、当該標識２１Ａの近傍に設けられて針を通す順序を示すための数字２１Ｂとからなる組２１が複数連なったものを単位群とする１または２以上の群Ｇによって構成されている。【選択図】図１
2008173211.tif 000002
【特許請求の範囲】
【請求項１】
所定の標記を有する付着体を布地の帯状領域に付着させて針を通す位置を案内するための手芸作業ガイド用具であって、
上記所定の標記は、布地に対して針を通す位置および当該針を通す方向を示すための標識と、当該標識の近傍に設けられて針を通す順序を示すための数字とからなる組が複数連なったものを単位群とする１または２以上の群によって構成されていることを特徴とする、手芸作業ガイド用具。
【請求項２】
上記付着体は、布地に付着させるための粘着剤が一方の面に設けられたテープ材として構成されている、請求項１に記載の手芸作業ガイド用具。
【請求項３】
上記所定の標記は、上記テープ材の他方の面に露出するように形成されている、請求項２に記載の手芸作業ガイド用具。
【請求項４】
上記テープ材の上記一方の面に貼着される離型シートと、上記テープ材の上記他方の面に追加の粘着剤を介して貼着される透明フィルムとをさらに備える、請求項２または３に記載の手芸作業ガイド用具。
【請求項５】
上記テープ材は、所定の間隔を隔てて互いに分離するように配された複数の単位シート片によって構成されており、
上記針を通す位置を示すための標識は、隣接する上記単位シート片間の位置を指し示すように構成されている、請求項４に記載の手芸作業ガイド用具。
【請求項６】
上記追加の粘着剤は、上記一方の面に設けられた上記粘着剤よりも粘着力が弱くされている、請求項４または５に記載の手芸作業ガイド用具。
【請求項７】
上記付着体は、水溶性材料によって構成されている、請求項１ないし６のいずれかに記載の手芸作業ガイド用具。
【発明の詳細な説明】
【技術分野】
【０００１】
本発明は、スモッキング刺繍などの手芸の分野で好適に用いられる手芸作業ガイド用具に関する。
【背景技術】
【０００２】
手縫いなどの手芸の分野における装飾効果を高める技法の一つとしてスモッキング刺繍が知られている。スモッキング刺繍とは、平らな布地に細かなひだを寄せ、ひだ山を刺繍糸ですくっていくことで様々な模様を作っていく技法である。従来のスモッキングを行う方法としては、たとえば、まず紙面上に図案を作成し、当該図案をチョークペーパーなどを介して布地に転写する。次いで、転写した図案を位置の目印にして、解説書に示された刺し順に従って縫い作業を行う。また、別の方法では、細かく正確なぐし縫いを行って均一な多数のひだを寄せたうえで、解説書を参照しながら縫い作業を行う。スモッキング刺繍によって形成される模様は、手縫いでしか形成することができないものであり、独特の風合いを有するものとして好まれる場合がある。
【０００３】
しかしながら、スモッキング刺繍は、その工程が比較的に複雑で、特に図案の転写やぐし縫いによりひだを寄せるといった準備作業が煩わしい。また、布地に転写された図案を見ても針を通す順序など理解するのが難しく、熟練を要するものとなっており、一般的に楽しむことは難しかった。布地に予め所定の模様（たとえばギンガムチェック）が形成されている場合には、当該模様の格子目を基準としてぐし縫いを行ってひだを寄せ、ひだ山をすくっていく方法も知られている。この場合、図案の作製および当該図案の布地への転写といった作業は不要となるが、解説書を参照しながら縫う手順を考える必要がある。また、この方法では、使用できる布地の模様が限定されるので、好みの作品を作ることが難しく、縫い目間隔も布地の模様のサイズによって制約を受けてしまう。
【０００４】
一方、手縫い作業を案内するためのガイドテープが提案されている（たとえば特許文献１を参照）。しかしながら、同文献に開示されたガイドテープは、一定間隔に目盛りを設けただけのものであるので、ぐし縫いなど単調な手縫い作業に使用するのには適しているものの、上記したスモッキング刺繍のような針を通す位置や順序が複雑な手縫い作業に使用するのには適していない。
【０００５】
【特許文献１】実開平５−３１７８０号公報
【発明の開示】
【発明が解決しようとする課題】
【０００６】
本発明は、このような事情のもとで考え出されたものであって、スモッキング刺繍などの比較的に複雑な手順の手縫い作業を適切に案内することを可能とし、当該手縫い作業を効率よく行うことができる手芸作業ガイド用具を提供することを課題とする。
【課題を解決するための手段】
【０００７】
上記の課題を解決するため、本発明では、次の技術的手段を講じている。
【０００８】
本発明によって提供される手芸作業ガイド用具は、所定の標記を有する付着体を布地の帯状領域に付着させて針を通す位置を案内するための手芸作業ガイド用具であって、上記所定の標記は、布地に対して針を通す位置および当該針を通す方向を示すための標識と、当該標識の近傍に設けられて針を通す順序を示すための数字とからなる組が複数連なったものを単位群とする１または２以上の群によって構成されていることを特徴としている。
【０００９】
このような構成の手芸作業ガイド用具の使用に際しては、布地に対して付着体を付着させて、付着体に表された所定の標記に従って縫い作業を行う。ここで、上記所定の標記は、布地に対して針を通す位置および方向を示すための標識と、当該標識に対応するようにしてその近傍に設けられた針を通す順序を示すための数字とからなる組が複数連なったものを単位群として構成されている。このため、上記構成の手芸作業ガイド用具によれば、たとえばスモッキング刺繍などの比較的に複雑な手順の手縫い作業を行う場合においても、当該手縫い作業を適切に案内することが可能であり、その結果、当該手縫い作業を効率よく行うことができる。
【００１０】
本発明の好ましい実施の形態においては、上記付着体は、布地に付着させるための粘着剤が一方の面に設けられたテープ材として構成されている。
【００１１】
本発明の好ましい実施の形態においては、上記所定の標記は、上記テープ材の他方の面に露出するように形成されている。
【００１２】
このような構成によれば、テープ材の一方の面を粘着剤を介して布地に付着させると、テープ材の他方の面に露出形成された所定の標記の部分がテープ材の表面に位置することになり、当該所定の標記は視認性にすぐれたものとなる。
【００１３】
本発明の好ましい実施の形態においては、上記所定の標記は、上記テープ材の上記一方の面に貼着される離型シートと、上記テープ材の上記他方の面に追加の粘着剤を介して貼着される透明フィルムとをさらに備える。
【００１４】
このような構成によれば、手芸作業ガイド用具の使用に際しては、まず、透明フィルムを、テープ材が貼着された状態のまま離型シートから剥がし、布地に対してテープ材とともに位置合わせしつつ貼り付ける。次いで、透明フィルムのみをテープ材から剥がすことにより、テープ材のみが布地の所定領域に付着した状態となる。すなわち、このように離型シートと透明フィルムとを備える構成によれば、テープ材の一方の面に塗着された粘着剤が不当に目的とする位置以外に付着してしまうといった不都合を適切に回避することができ、手芸作業ガイド用具の使い勝手が良好となる。
【００１５】
本発明の好ましい実施の形態においては、上記テープ材は、所定の間隔を隔てて互いに分離するように配された複数の単位シート片によって構成されており、上記針を通す位置を示すための標識は、隣接する上記単位シート片間の位置を指し示すように構成されている。
【００１６】
このような構成によれば、複数の単位シート片に分離されていることにより、布地において、単位シート片が付着された領域については単位シート片自体の剛性により腰のある状態となって折れ曲がり難くなる一方、単位シート片どうしの間の領域（単位シート片が付着されていない領域）については相対的に折れ曲がりやすい状態となるため、上記単位シート片どうしの間の領域においては、ひだ山が形成されやすくなる。そして、上記単位シート片間において針を通す位置が設定されているので、針を通した後に糸を引くことによって容易にひだを寄せることができる。したがって、かかる構成によれば、スモッキング刺繍において縫い作業が行いやすくなる。
【００１７】
本発明の好ましい実施の形態においては、上記追加の粘着剤は、上記一方の面に設けられた上記粘着剤よりも粘着力が弱くされている。
【００１８】
このような構成によれば、布地にテープ材を付着させた後に透明フィルムを剥がす場合、テープ材が透明フィルムとともに布地から剥がれてしまうといった不都合を適切に回避することができる。
【００１９】
本発明の好ましい実施の形態においては、上記付着体は、水溶性材料によって構成されている。
【００２０】
このような構成によれば、付着体を布地に付着させて手縫い作業を行った後において当該布地を水洗いすることにより、付着体を水に溶かして洗い流すことができる。したがって、かかる構成によれば、布地からの付着体の除去作業を簡素化することができる。
【００２１】
本発明のその他の特徴および利点は、添付図面を参照して以下に行う詳細な説明によって、より明らかとなろう。
【発明を実施するための最良の形態】
【００２２】
以下、本発明の好ましい実施の形態について、図面を参照して具体的に説明する。
【００２３】
図１は、本発明に係る手芸作業ガイド用具の一例を示す平面図である。図２は、図１のII−II線に沿う拡大断面図である。図１および図２に示すように、本実施形態の手芸作業ガイド用具Ａ１は、離型シート１、テープ材２、および透明フィルム３を備えるとともにこれらが重ね合わされた構成とされており、全体として平面視矩形のシート状を呈している。手芸作業ガイド用具Ａ１は、たとえばスモッキング刺繍などの手縫い作業を行うに際し、布地に対して針を通す位置を案内するためのものである。
【００２４】
離型シート１は、テープ材２に対向する表面部分において粘着性のあるものに対し剥離し易くする処理が施されたものであり、たとえば当該表面部分にはシリコーン樹脂が塗布されている。
【００２５】
テープ材２は、本発明でいう付着体に相当するものであり、互いに分離された複数の矩形状の単位シート片２Ａによって構成されている。複数の単位シート片２Ａは、所定の間隔を隔てて一定方向（矢印Ｘ方向）に直線状に並ぶように配されている。各単位シート片２Ａには、標識２１Ａ，２１Ｃおよび数字２１Ｂが付されている。
【００２６】
標識２１Ａは、手縫い作業において針を通す位置および針を通す方向を示すためのものである。本実施形態では、標識２１Ａは、三角形状とされており、各単位シート片２Ａの矢印Ｘ方向における端縁２Ａａの近傍に設けられている。また、標識２１Ａは、三角形状の一頂点の先端が端縁２Ａａを向く姿勢とされており、当該一頂点の先端近傍（隣接する単位シート片２Ａ間の領域）において針を通すべきことを意味する。また、本実施形態では、紙面の奥から手前の方向に針を通す位置（以下、針を出す位置という）を示す標識２１Ａについては白抜きとされる一方、紙面の手前から奥の方向に針を通す位置（以下、針を入れる位置という）を示す標識２１Ａについては塗り潰しとされている。これにより、各標識２１Ａにおける針を通す方向について、識別可能となっている。
【００２７】
数字２１Ｂは、標識２１Ａに対して１対１に対応するように当該標識２１Ａの近傍に設けられており、当該標識２１Ａが示す位置に針を通す順序を示すためのものである。
【００２８】
標識２１Ｃは、詳細については後述するが、布地に対して針を出す位置を示す標識２１Ａとこれに続いて針を入れる位置を示す標識２１Ａとの間に設けられており、針を出し入れした後において糸が形成すべき形状を示すためのものである。標識２１Ａ，２１Ｃおよび数字２１Ｂは、図２に表れているように、単位シート片２Ａの上面（面２Ａｃ）に露出するように形成されている。
【００２９】
上記構成の標識２１Ａと、これに対応する数字２１Ｂとにより１つの組２１が構成されている。そして、複数の単位シート片２Ａにわたって構成される複数の組２１により、一定の規則による群Ｇ（仮想線で区画された範囲内）が構成される。本実施形態では、複数の単位シート片２Ａは、複数の群Ｇが縦横（矢印Ｘ方向およびこれに垂直な矢印Ｙ方向）に沿って規則的に並ぶ状態で設けられており、これら複数の群Ｇによって標記Ｒが構成される。
【００３０】
各単位シート片２Ａの下面（面２Ａｂ）には、所定の粘着力を有する粘着剤２２が設けられている。粘着剤２２は、単位シート片２Ａの平面視寸法よりも一回り小さい寸法の領域に設けられている。また、各単位シート片２Ａの上面（面２Ａｃ）には、所定の粘着力を有する粘着剤２３が設けられている。粘着剤２３は、単位シート片２Ａの平面視寸法よりも一回り小さい寸法の領域に設けられている。また、粘着剤２３としては、上記粘着剤２２よりも粘着力の弱いものが用いられる。
【００３１】
透明フィルム３は、透明性を有する樹脂からなり、粘着剤２３を介して面２Ａｃに貼着されている。
【００３２】
次に、上記構成の手芸作業ガイド用具Ａ１を用いてスモッキング刺繍を行う方法について、図３〜図８を参照して説明する。なお、本実施形態に係る手芸作業ガイド用具Ａ１は、「ケーブル・スモッキング」と称されるスモッキング模様を作成するためのものである。
【００３３】
まず、スモッキング刺繍の対象となる平面状の布地Ｃを準備するとともに、手芸作業ガイド用具Ａ１からスモッキング刺繍を施す領域に対応する形態の帯状片Ａ１’を切り離す（図３参照）。次いで、当該帯状片Ａ１’の透明フィルム３の端部を掴んで離型シート１から透明フィルム３およびテープ材２（複数の単位シート片２Ａ）を引き剥がし、粘着剤２２が表面に露出した状態とする。引き続き、透明フィルム３および複数の単位シート片２Ａを布地Ｃの所定領域に載せて押さえ付け、その後に透明フィルム３を引き剥がすことにより、単位シート片２Ａだけが粘着剤２２を介して布地Ｃに付着する（図４参照）。ここで、透明フィルム３と単位シート片２Ａの間にある粘着剤２３は、布地Ｃと単位シート片２Ａの間にある粘着剤２２よりも粘着力が弱いため、透明フィルム３を引き剥がす際に単位シート片２Ａが透明フィルム３とともに布地Ｃから剥がれるといった不都合は適切に回避される。
【００３４】
次に、テープ材２に付された標記に従ってスモッキング刺繍を行う。具体的には、まず、糸端に玉結びをしたうえで、「１」の数字に対応する白抜きの標識２１Ａａが示す位置から針を出す。次いで、「２」の数字に対応する塗り潰しの標識２１Ａｂが示す位置に針を入れ、「２」の数字に対応する白抜きの標識２１Ａｃが示す位置から針を出す（図５参照）。ここで、標識２１Ａｃが示す位置から針を出す際には、標識２１Ａａと標識２１Ａｂの間に位置する糸Ｔ１が、当該標識２１Ａａ，２１Ａｂの間に設けられた標識２１Ｃａの形状に倣うようにする。すなわち、標識２１Ｃａは図中下側に開口するＵ形であるため、標識２１Ａｃの示す位置から出される針に対して糸Ｔ１を図中上側に位置させる。標識２１Ａｃの示す位置から針を出したら、図６に示すように、糸を図中下側に引いてひだを寄せる。
【００３５】
次いで、図７に示すように、「３」の数字に対応する塗り潰しの標識２１Ａｄが示す位置に針を入れ、「３」の数字に対応する白抜きの標識２１Ａｅが示す位置から針を出す。ここで、標識２１Ａｅが示す位置から針を出す際には、標識２１Ａｃ（図示せず、図３参照）と標識２１Ａｄの間に位置する糸Ｔ２が、当該標識２１Ａｃ，２１Ａｄの間に設けられた標識２１Ｃｂの形状に倣うようにする。すなわち、標識２１Ｃｂは図中上側に開口するＵ形であるため、標識２１Ａｅの示す位置から出される針に対して糸Ｔ２を図中下側に位置させる。標識２１Ａｅの示す位置から針を出したら、糸を図中上側に引いてひだを寄せる。
【００３６】
次いで、図８に示すように、「４」の数字に対応する塗り潰しの標識２１Ａｆが示す位置に針を入れ、「４」の数字に対応する白抜きの標識２１Ａｇ（図示せず、図３参照）が示す位置から針を出すとともに、標識２１Ａｇから出た糸を図中下側に引いてひだを寄せる。さらに、「５」の数字に対応する塗り潰しの標識２１Ａｈが示す位置に針を入れ、これで単位模様が刺し終わる。その後、形成すべきスモッキング模様に応じ、上記した手順で針の出し入れを繰り返して単位模様を順次作製し、最後に布地Ｃの裏で玉止めをする。そして、布地Ｃに付着した単位シート片２Ａを除去することによって、作業が完了する。なお、単位シート片２Ａの除去は、縫い作業の途中において、当該単位シート片２Ａに付された標識２１Ａが示す位置への針の出し入れが終了する度ごとに順次行うようにしてもよい。
【００３７】
このようにして、手芸作業ガイド用具Ａ１を用いれば、スモッキング刺繍などの比較的に複雑な手順の手縫い作業を行う場合においても、当該手縫い作業を適切に案内することが可能であり、その結果、当該手縫い作業を効率よく行うことができる。
【００３８】
また、手芸作業ガイド用具Ａ１は、離型シート１および透明フィルム３の間にテープ材２が挟まれた構成とされている。このため、手芸作業ガイド用具Ａ１の使用の際には、テープ材２を布地Ｃに付着させる直前に離型シート１を剥がせばよく、テープ材２の表面に設けられた粘着剤２３が布地Ｃ以外の場所に付着してしまうといった不都合は適切に回避される。
【００３９】
さらに、手芸作業ガイド用具Ａ１を用いてスモッキング刺繍を行なう際には、布地Ｃにおける単位シート片２Ａが付着した領域については、単位シート片２Ａ自体の剛性により腰のある状態となり、折れ曲がり難くなる。その一方、布地Ｃにおける隣接する単位シート片２Ａの間の領域（すなわち、単位シート片２Ａが付着していない領域）については、相対的に折れ曲がりやすい状態となるため、上記単位シート片２Ａどうしの間の領域においてひだ山が形成されやすくなる。そして、単位シート片２Ａ間において針を通す位置が設定されているので、針を通した後に糸を引くことによって容易にひだを寄せることができる。したがって、本実施形態に係る手芸作業ガイド用具Ａ１を用いれば、スモッキング刺繍において縫い作業が行ないやすくなる。
【００４０】
次に、上記した手芸作業ガイド用具Ａ１を製造する方法の一例を図９を参照して説明する。
【００４１】
まず、図９（ａ）に示すように、離型性フィルムＦを準備し、当該離型性フィルムＦ上の所定領域にインク層２１’を形成する。インク層２１’は、標識２１Ａ，２１Ｃや数字２１Ｂとなるべき部分である。インク層２１’の形成は、たとえば所定色を有するインク材料を用いてオフセット印刷あるいはシルク印刷することにより行う。次いで、図９（ｂ）に示すように、離型性フィルムＦ上の所定領域に樹脂層２Ａ’を形成する。樹脂層２Ａ’は、単位シート片２Ａとなるべき部分であり、インク層２１’を覆うように形成される。樹脂層２Ａ’の形成は、たとえばエポキシ樹脂を用いてシルク印刷することにより行う。次いで、図９（ｃ）に示すように、樹脂層２Ａ’の面２Ａｂ上に粘着層２２’（粘着剤２２となるべき部分）を形成する。粘着層２２’の形成は、たとえばシルク印刷することにより行う。次いで、図９（ｄ）に示すように、粘着層２２’上に離型シート１を貼着させる。次いで、図９（ｅ）に示すように、離型性フィルムＦを除去した後、これによって表れた樹脂層２Ａ’の表面（面２Ａｃ上）に粘着層２２’の形成と同様の手法により粘着層２３’（粘着剤２３となるべき部分）を形成し、当該粘着層２３’上に透明フィルム３を貼着させる。このようにして、シート状の手芸作業ガイド用具Ａ１を得ることができる。
【００４２】
図１０は、本発明に係る手芸作業ガイド用具の他の例を示している。なお、図１０においては、上記実施形態と同一または類似の要素には上記実施形態と同一の符号を付しており、適宜説明を省略する。
【００４３】
図１０に示された手芸作業ガイド用具Ａ２〜Ａ４においては、単位シート片２Ａに付される標記Ｒの態様が上記実施形態の手芸作業ガイド用具Ａ１とは異なっている。すなわち、これらの手芸作業ガイド用具Ａ２〜Ａ４は、手芸作業ガイド用具Ａ１を用いて作成される模様とは異なる模様を作成するためのものである。図１０（ａ）に示された手芸作業ガイド用具Ａ２は、「ダブルケーブル・スモッキング」と称されるスモッキング模様を作成するためのものであり、上述した手芸作業ガイド用具Ａ１によって作成される模様を上下２段に線対称となるように作成するためのものである。手芸作業ガイド用具Ａ２を用いてスモッキング刺繍を行う際には、まず上段について刺繍し、上段の刺繍が終了したら引き続いて下段について刺繍する。縫い作業の具体的な手順については、上記実施形態の手芸作業ガイド用具Ａ１に関して上述したのと同様であるので、その説明は省略する。
【００４４】
また、図１０（ｂ），（ｃ）に示された手芸作業ガイド用具Ａ３，Ａ４は、「ダイヤモンド・スモッキング」、「ハニコム・スモッキング」と称される上下２段のスモッキング模様を作成するためのものである。手芸作業ガイド用具Ａ３，Ａ４においては、複数の数字２１Ｂのうちの特定のものに対応する標識２１Ｄが追加的に設けられている。標識２１Ｄは、一方向に突出端２１Ｄａを有する形状を有し、対応する数字２１Ｂを白抜きで表すことにより、当該数字２１Ｂに重なる位置に設けられている。標識２１Ｄは、布地Ｃから針を出した後に糸を引く必要があるものについてのみ設けられ、標識２１Ｄの突出端２１ｄａは、糸を引く方向を表している。手芸作業ガイド用具Ａ３，Ａ４を用いてスモッキング刺繍を行う際には、まず上段について刺繍し、上段の刺繍が終了したら引き続いて下段について刺繍する。縫い作業の具体的な手順については、針を通す位置および方向、ならびに針を通す順序に関しては、上記実施形態の手芸作業ガイド用具Ａ１に関して上述したのと同様であるが、針を出した後に糸を引くタイミングに関しては、手芸作業ガイド用具Ａ１と異なる。すなわち、上記実施形態の手芸作業ガイド用具Ａ１の使用においては、糸を引いてひだを寄せる操作は布地Ｃから針を出す度ごとに行うが、手芸作業ガイド用具Ａ３，Ａ４の使用においては、糸を引いてひだを寄せる操作は白抜き数字２１Ｂに対応する位置から針を出した後においてのみ行う。このように、本発明に係る手芸作業ガイド用具は、様々なバリエーションの模様を作成するのに適用可能である。
【００４５】
以上、本発明の具体的な実施形態を説明したが、本発明はこれに限定されるものではなく、発明の思想から逸脱しない範囲内で種々な変更が可能である。
【００４６】
たとえば、付着体を水溶性材料で構成してもよい。水溶性材料としては、たとえば水溶性セルロース誘導体が挙げられる。この場合、手芸作業ガイド用具の使用においては、付着体を布地に付着させて手縫い作業を行った後に当該布地を水洗いすることにより、布地に付着した付着体を水に溶かして洗い流すことができ、布地からの付着体の除去作業を簡素化することができる。
【００４７】
また、所定の標記となる部分を、水性チャコペンなどに用いられる転写可能な材料で形成することによって、付着体として構成してもよい。この場合、たとえば付着体を印刷などの手法によって透明フィルム上に形成する。手芸作業ガイド用具の使用においては、転写により付着体を布地に付着させて手縫い作業を行った後に当該布地を水洗いすることにより、布地に付着した付着体を水に溶かして洗い流すことができる。
【図面の簡単な説明】
【００４８】
【図１】本発明に係る手芸作業ガイド用具の一例を示す平面図である。
【図２】図１のII−II線に沿う拡大断面図である。
【図３】図１に示す手芸作業ガイド用具の使用方法の一例を示す平面図である。
【図４】図１に示す手芸作業ガイド用具の使用方法の一例を示す平面図である。
【図５】図１に示す手芸作業ガイド用具の使用方法の一例を示す平面図である。
【図６】図１に示す手芸作業ガイド用具の使用方法の一例を示す平面図である。
【図７】図１に示す手芸作業ガイド用具の使用方法の一例を示す平面図である。
【図８】図１に示す手芸作業ガイド用具の使用方法の一例を示す平面図である。
【図９】本発明に係る手芸作業ガイド用具を製造する方法の一例を示す断面図である。
【図１０】本発明に係る手芸作業ガイド用具の他の例を示す平面図である。
【符号の説明】
【００４９】
Ａ１，Ａ２，Ａ３，Ａ４    手芸作業ガイド用具
Ｃ      布地
Ｇ      群
Ｒ      標記
１      離型シート
２      テープ材（付着体）
２Ａ    単位シート片
２Ａｂ  面（一方の面）
２Ａｃ  面（他方の面）
３      透明フィルム
２１    組
２１Ａ  標識
２１Ｂ  数字
２２    粘着剤
２３    粘着剤（追加の粘着剤）
【図１】
2008173211.tif 000003
【図２】
2008173211.tif 000004
【図３】
2008173211.tif 000005
【図４】
2008173211.tif 000006
【図５】
2008173211.tif 000007
【図６】
2008173211.tif 000008
【図７】
2008173211.tif 000009
【図８】
2008173211.tif 000010
【図９】
2008173211.tif 000011
【図１０】
2008173211.tif 000012